(57)【要約】      （修正有）【課題】乾燥剤収容体を容器本体の底部に挿入する際、透湿防塵シートが破れたり、削れたりすることを低減することができる防湿容器を提供する。【解決手段】容器本体１と、容器本体を密封する蓋体２と、容器本体の底部に挿入された乾燥剤収容体３とを備える防湿容器であって、乾燥剤収容体は内容器３０と、乾燥剤５と、内容器の開口部を封止し開口部よりはみ出して裁断される透湿防塵シート４とを備え、容器本体は、内周壁から突出し、乾燥剤収容体の容器本体の開口部側への移動を阻止する突起を備え、内容器は、その外周壁に複数の溝および前記複数の溝によって区画された突条を有し、突条の外壁は、内容器の開口部付近で、少なくとも曲線の断面を含むよう面取りされた形状、または、内容器の開口部から、透湿防塵シートの内容器の開口部からのはみだし寸法より大きい高さまでの領域において、他の領域より外径を小さくした形状となっている。【選択図】図１
2014133576.tif 000002
【特許請求の範囲】
【請求項１】
筒型の容器本体と、前記容器本体を開閉自在に密封する蓋体と、前記容器本体の底部に挿入された筒型の乾燥剤収容体とを備える防湿容器であって、
前記乾燥剤収容体は、一端に開口部を有する内容器と、前記内容器に収容された乾燥剤と、前記内容器の開口部を封止し前記内容器の開口部よりはみ出して裁断される透湿防塵シートとを備え、
前記容器本体は、前記内容器の底部の外面を含む平面よりも前記容器本体の開口部側において、内周壁から突出し、前記乾燥剤収容体の前記容器本体の開口部側への移動を阻止する突起を備え、
前記内容器は、その外周壁に複数の溝および前記複数の溝によって区画された突条を有し、
前記複数の突条の外壁は、前記内容器の開口部付近で、少なくとも曲線の断面を含むよう面取りされた形状、または、前記内容器の開口部から、前記透湿防塵シートの前記内容器の開口部からのはみ出し寸法より大きい高さまでの領域において、他の領域より外径を小さくした形状となっており、
前記容器本体は、底板内壁に台座を備え、
前記乾燥剤収容体は、前記台座と、前記透湿防塵シートとが接触するように前記容器本体に挿入され、容器本体底板と前記透湿防塵シートとの間に隙間が存在する、防湿容器。
【請求項２】
前記内容器の開口部の径は、前記突起が設けられた箇所における前記容器本体の内径より、少なくとも０．０５ｍｍ小さいことを特徴とする、請求項１に記載の防湿容器。
【請求項３】
前記突起は、前記容器本体の内周壁全周に形成されており、
前記内容器の開口部とは反対側の端の外径が、前記突起が設けられた箇所における前記容器本体の内径より大きく、
前記内容器の前記溝を形成する底部の角が面取りされていることを特徴とする、請求項１に記載の防湿容器。
【請求項４】
請求項１に記載の防湿容器の製造方法であって、
前記内容器に充填ノズルを使用して乾燥剤を充填する工程と、
前記内容器の前記開口部に、前記透湿防塵シートをシールして前記開口部を封止し、前記乾燥剤収容体を製造する工程と、
前記乾燥剤収容体を、透湿防塵シートを前記容器本体の底部に向けて前記容器本体に挿入する工程と、
前記容器本体を前記蓋体で密封する工程とを備える、防湿容器の製造方法。
【発明の詳細な説明】
【技術分野】
【０００１】
本発明は、乾燥剤を備えた防湿容器に関する。
【背景技術】
【０００２】
血液や尿の分析に用いるテストピース（検出センサチップ）は、湿気（水）により容易に劣化し、検出能力が低下する。従って、このようなテストピースの保存には、内部に乾燥剤を備えた容器が用いられる。例えば、特許文献１には、乾燥剤を収容し、開口部を透湿防塵シートで封止したカップ状の乾燥剤収容体を、底板内壁に台座を備えた容器本体の底部に、台座と透湿防塵シートが接触するように挿入され、容器本体の底板と透湿防塵シートとの間に隙間ができるように固定した防湿容器が提案されている。
【０００３】
図２０に、特許文献１が開示する防湿容器の斜視図を示す。特許文献１が開示する防湿容器は、容器本体２０１と、乾燥剤収容体２０３とから構成されている。容器本体２０１は、蓋体２０２と、底板２１３と、底板２１３の上面の外周部に設けられた台座２１１とから構成されている。乾燥剤収容体２０３は、内容器２３０と、内容器２３０内部に収容された乾燥剤２０５と、内容器２３０の開口部を封止する透湿防塵シート２０４とから構成されている。乾燥剤収容体２０３は、透湿防塵シート２０４が、容器本体２０１の底板２１３内壁に設けられた台座２１１に接触するように挿入されている。また、容器本体２０１の内周壁には、突起２１２が設けられており、突起２１２は、容器本体２０１の底部に挿入された乾燥剤収容体２０３が、容器本体２０１の開口部側へ移動することを防止している。
【先行技術文献】
【特許文献】
【０００４】
【特許文献１】特開２０１２−１９７１１７号公報
【発明の概要】
【発明が解決しようとする課題】
【０００５】
特許文献１が開示する防湿容器においては、乾燥剤収容体２０３を容器本体２０１の底部に挿入する際、図２１に示すように、内容器２３０の開口部よりはみ出した透湿防塵シート２０４が、突起２１２と内容器２３０と擦られることにより、破れたり、削れたりするという問題があった。
【０００６】
それ故に、本発明の課題は、乾燥剤収容体を容器本体の底部に挿入する際、透湿防塵シートが、突起と内容器と擦られることにより、破れたり、削れたりすることを低減することができる防湿容器を提供することである。
【課題を解決するための手段】
【０００７】
本発明の一局面は、筒型の容器本体と、容器本体を開閉自在に密封する蓋体と、容器本体の底部に挿入された筒型の乾燥剤収容体とを備える防湿容器であって、乾燥剤収容体は、一端に開口部を有する内容器と、内容器に収容された乾燥剤と、内容器の開口部を封止し内容器の開口部よりはみ出して裁断される透湿防塵シートとを備え、容器本体は、内容器の底部の外面を含む平面よりも容器本体の開口部側において、内周壁から突出し、乾燥剤収容体の容器本体の開口部側への移動を阻止する突起を備え、内容器は、その外周壁に複数の溝および複数の溝によって区画された突条を有し、複数の突条の外壁は、内容器の開口部付近で、少なくとも曲線の断面を含むよう面取りされた形状、または、内容器の開口部から、透湿防塵シートの内容器の開口部からのはみだし寸法より大きい高さまでの領域において、他の領域より外径を小さくした形状となっており、容器本体は、底板内壁に台座を備え、乾燥剤収容体は、台座と、透湿防塵シートとが接触するように容器本体に挿入され、容器本体底板と透湿防塵シートとの間に隙間が存在する。
【０００８】
本発明の他の局面は、上述の防湿容器の製造方法であって、内容器に充填ノズルを使用して乾燥剤を充填する工程と、当該乾燥剤を収容した内容器の開口部に、透湿防塵シートをシールして開口部を封止して乾燥剤収容体を製造する工程と、乾燥剤収容体を、透湿防塵シートを容器本体の底部に向けて容器本体に挿入する工程とを備える、防湿容器の製造方法を提供する。
【発明の効果】
【０００９】
本発明の防湿容器は、乾燥剤収容体を容器本体の底部に挿入する際、透湿防塵シートが破れたり、削れたりすることを低減することができる。
【図面の簡単な説明】
【００１０】
【図１】本発明に係る防湿容器を示す断面図
【図２】本発明に係る内容器を示す正面図
【図３】本発明に係る内容器の上面図
【図４】本発明に係る内容器の断面図
【図５】本発明に係る内容器の他の一例を示す断面図
【図６】防湿容器の製造方法を示す図
【図７】透湿防塵シートが内容器の開口部からはみ出した状態を示す図
【図８】透湿防塵シートが内容器の開口部からはみ出した状態を示す図
【図９】防湿容器の製造方法を示す図
【図１０】防湿容器の製造方法を示す図
【図１１】本発明に係る防湿容器の他の一例の閉栓状態を示す断面図
【図１２】本発明に係る防湿容器の他の一例の閉栓状態を示す断面図
【図１３】本発明に係る防湿容器の他の一例の閉栓状態を示す断面図
【図１４】本発明に係る容器本体の開栓状態を示す断面図
【図１５】内容器の突条の外壁形状の他の一例を示す図
【図１６】内容器の突条の外壁形状の他の一例を示す図
【図１７】内容器の突条の外壁形状の他の一例を示す図
【図１８】内容器の突条の外壁形状の他の一例を示す図
【図１９】内容器の突条の外壁形状の他の一例を示す図
【図２０】従来の防湿容器の斜視図
【図２１】従来の課題を示す図
【発明を実施するための形態】
【００１１】
図１は、本発明に係る防湿容器の一例を示す断面図である。本発明に係る防湿容器は、防湿性を有する樹脂（例えば、ポリプロピレン）等からなる。容器本体１は、筒型であり、一端は底板１３によって封止され、他の一端は開口している。筒型としては、円筒、角筒（四角柱、六角柱など）を例示できる。
【００１２】
図１に示した防湿容器のように、容器本体１と蓋体２とをヒンジ２３を介して接続して一体とすると、樹脂一体成形体として効率よく生産できる。しかしながら、容器本体１と蓋体２とは、別体としてもよい。
【００１３】
また、容器本体１の開口を開閉自在に密栓する方法は、特に限定されない。例えば、容器本体１と蓋体２とを別体として、蓋体２を容器本体１の開口部に螺合して、開閉自在に密栓することもできる。
【００１４】
容器本体１は、底板１３の上面の外周部に台座１１を備える。台座１１は、後述する乾燥剤収容体３を支持し、乾燥剤収容体３と底板１３との間に隙間６を確保する役割を担う。従って、台座１１が底板１３に占める割合は小さい方がよい。図１には、台座１１を容器本体１の内周壁に沿って配置した例を示したが、台座１１の位置は乾燥剤収容体３を安定して支持できる限り特に制限されない。台座１１の数及び形状もまた、乾燥剤収容体３を安定して保持できる限り特に制限されない。例えば、底板１３の中央から容器本体１の内周壁に向けて放射状に延びるリブを、台座１１として形成してもよい。
【００１５】
さらに、容器本体１は、内周壁に突起１２を有する。突起１２は、後述する内容器３０の底部の外面を含む平面よりも、容器本体１の開口部側に設置される。突起１２は、容器本体１の底部に挿入された乾燥剤収容体３が、容器本体１の開口部側へ移動することを防止する。
【００１６】
突起１２の形状及び大きさは特に制限されないが、容器本体１の底部への乾燥剤収容体３の挿入を妨げない範囲から選択する。
【００１７】
突起１２の数は単数であっても、複数であってもよい。また、突起１２は、容器本体１の内壁全周に設けられてもよく、部分的に設けられてもよい。突起１２を容器本体１の内壁全周に設ける場合、容器本体１の底部に挿入された乾燥剤収容体３が、容器本体１の開口部側へ移動することをより確実に防止できる。また、突起１２を容器本体１の内壁全周に設けると、防湿容器内の空気の隙間６への流れが悪くなるおそれがあるが、後述する内容器３０の溝３１を形成する底部角の一部を面取りすることにより、上述の空気の流れが悪くなるのを防止することができる。
【００１８】
［乾燥剤収容体］
本発明に係る防湿容器は、容器本体１の底部に挿入された乾燥剤収容体３を有する。
【００１９】
乾燥剤収容体３は、内容器３０と、内容器３０内部に収容された乾燥剤５と、内容器３０の開口部を封止する透湿防塵シート４とを備える。
【００２０】
図２は、内容器３０の正面図である。また、図３は、内容器３０の上面図である。また、図４は、Ａ−Ａ線に沿った断面図である。
【００２１】
以下に内容器３０の形状、大きさの一例を説明する。内容器３０は筒型であり、その一端は底板により封止され、他の一端は開口している。内容器３０の外周形状及び大きさは、容器本体１に挿入可能で、かつ、内容器３０の閉口部寸法ｂが図１に示す突起寸法ａより大きくなるように設定される。このことにより、防湿容器の振動や落下により、容器本体１から抜け出しにくくすることができる。また、内容器３０の開口部寸法ｃは、突起寸法ａより０．０５ｍｍ以上小さくなるように設定されることが好ましい。内容器３０の外周壁には、その開口端と底部とを結ぶ溝３１が形成されており、溝３１を形成する底部の上端部の角は、面取りされている。また、内容器３０の外周壁は、溝３１によって区画された頂部である複数の突条３２を備える。また、突条３２の開口端側の外周壁は、曲率半径を１ｍｍとした曲面で面取りされたＲ面取りされている。図３では、突条３２を１５本備えているが、突条３２の本数は、乾燥剤収容体３が突起１２から容器本体１の開口側に移動するのを防止できれば制限されるものではなく、また、突条３２を外壁の外周全体に設けていなくてもよい。しかし、乾燥剤収容体３が突起１２から容器本体１の開口側に移動するのを防止する目的と型設計の設計条件より、突条３２の本数は２〜３０本が好ましい。また、溝３１の底部は平面で形成されているが、曲面で形成されていても良い。
【００２２】
突条３２の高さｄ及び幅ｗと、溝３１の深さｅ及び幅ｆとは、後述する防湿容器の乾燥能力と被収容物の大きさとを考慮して適宜決定される。溝３１及び突条３２の数もまた、防湿容器の乾燥能力を考慮して適宜決定される。
【００２３】
内容器３０の底板は、図４に示すような平面状であってもよい。また、内容器３０の底板は、図５に示すように中央部が内方側に陥入した凹形状であってもよい。図５に示す底板を採用した場合の作用効果については後述する。
【００２４】
乾燥剤５としては、被収容物を汚染浸食しない限りにおいて、公知乃至慣用の乾燥剤をいずれも使用することができ、特に制限されない。具体的には、例えば、酸化カルシウム、塩化カルシウム、酸化アルミニウム、鉄粉等の化学系乾燥剤や、酸化アルミニウム、ゼオライト、モレキュラーシーブ、シリカゲル等の物理系乾燥剤を挙げることができる。
【００２５】
乾燥剤の種類を選択することにより、防湿容器内の湿度を調整することができる。ゼオライト及び／又はモレキュラーシーブを用いた場合は、防湿容器内の湿度を５％以下にすることが可能である。酸化カルシウム、塩化カルシウム等を用いた場合は、防湿容器内の湿度を５〜１０％程度にすることが可能である。シリカゲル、酸化アルミニウムを用いた場合は、防湿容器内の湿度は約１０％となる場合が多い。
【００２６】
本発明においては、吸湿による乾燥剤の凝集や、摩擦等による塵埃の発生を回避する観点から、物理系乾燥剤を使用することが好ましい。これらの中で、防湿容器内の湿度を低く保持できること、温度変化に伴う乾燥効率の変化及び水の再放出をおこしにくいことからモレキュラーシーブを特に好適に使用することができる。
【００２７】
透湿防塵シート４としては、透湿性及び防塵性を具備し、一定の強度を有するシートをいずれも使用することができる。具体的には、ポリエチレン、ポリプロピレン等の樹脂からなる不織布、微多孔性フィルム、及び微多孔性シートを例示できる。このようなシートの市販の例としては、米国デュポン社製；『Ｔｙｖｅｋ（登録商標）』、積水化成品工業株式会社製；『セルポア』、徳山曹達株式会社製；『ＮＦシート』、日東電工株式会社製『ニトフロン（登録商標）』を挙げることができる。
【００２８】
内容器３０に乾燥剤５を収容し、内容器３０の開口部を透湿防塵シート４で封止することにより乾燥剤収容体３を製造することができる。
【００２９】
乾燥剤５を内容器３０に収容する際には、例えば、図６に示すように充填ノズルを使用すると、効率的に収容作業を行うことができる。
【００３０】
乾燥剤５を収容した後、内容器３０の開口部を透湿防塵シート４で封止する。透湿防塵シート４は、予め内容器３０の開口部の形状及び大きさに合わせて裁断される。このとき、図７及び図８に示すように、透湿防塵シート４は内容器３０の開口部よりはみ出して裁断される。ここで、内容器３０の突条３２の開口端付近の外周壁がＲ面取りされていることと、内容器３０の開口部寸法ｃが、突起寸法ａより０．０５ｍｍ以上小さくなるように設定されることとにより、内容器３０の開口部よりはみ出した透湿防塵シート４が、乾燥剤収容体３を容器本体１に挿入する際、突起１２と内容器３０とに擦られて、破れたり、削れたりすることを低減することができる。また、内容器３０を無理なく容器本体１に挿入することができる。裁断された透湿防塵シート４は、空気吸引を利用した吸着アームを用いて内容器３０の開口部に位置あわせすることができる。
【００３１】
内容器３０の開口部を透湿防塵シート４で封止する方法は特に制限されないが、超音波を利用した溶着を例示できる。図９に示すように、吸着アームを用いて透湿防塵シート４を保持しつつ、超音波ホーンを用いて加熱溶着することができる。内容器３０の開口部と透湿防塵シート４との溶着面積は、両者の密着性を損なわない限りにおいて、小さい方が好ましい。溶着面積が大きいと、内容器３０を容器本体１に挿入した際に透湿防塵シート４にしわやよじれが発生する原因となるため、好ましくない。
【００３２】
上述のようにして得られた乾燥剤収容体３を容器本体１に挿入する。図１０に示すように、乾燥剤収容体３は、透湿防塵シート４を容器本体１の底板１３に向けて挿入される。換言すると、内容器３０の開口部は、容器本体１の底板１３に向けられ、内容器３０の底は、容器本体１の開口側に向けられる。乾燥剤収容体３は、透湿防塵シート４が、容器本体１の底板１３内壁に設けられた台座１１に接触するように挿入される。
【００３３】
台座１１の設置位置及び大きさを適切に調整し、かつ、図９に示す超音波溶着の工程の後、直ちに乾燥剤収容体３の容器本体１への挿入を行うことで、乾燥剤収容体３の透湿防塵シート４と、容器本体１の台座１１とが溶着されうる。
【００３４】
乾燥剤収容体３を、容器本体１に収容後、蓋体２により容器本体１の開口を密栓することにより、容器本体１内に乾燥状態がもたらされ、本発明の防湿容器が完成する。
【００３５】
本発明に係る防湿容器は、防湿容器内の湿気（水）が乾燥剤５に到達する際の通路となる透湿防塵シート４が容器本体１の底板１３に向けられて設置されている。しかしながら、底板１３の内壁には台座１１が設置されているので、底板１３と透湿防塵シート４の間には隙間６が存在する。また、内容器３０の外周壁には溝３１が設けられている。従って、防湿容器内の湿気（水）は、溝３１と容器本体１の内周壁との間の空間を通り、隙間６へと移動することができる。隙間６へと移動した湿気（水）は、透湿防塵シート４を透過して乾燥剤５に吸着される。
【００３６】
一方、内容器３０の被収容物と接触する部分は、内容器３０の底部である。この底部は透湿防塵シート４に比して強靱であるため、被収容物（テストピース）との接触により内容器３０の塵埃が発生する可能性はきわめて低い。また、乾燥剤収容体３に傷等が生じ、当該傷から乾燥剤５及びその塵埃が乾燥剤収容体３の外部に漏れ出る懸念は著しく低減される。すなわち、本発明に係る防湿容器は、被収容物が、防湿容器自体の損傷によって生じる塵埃や、乾燥剤５及びその塵埃により汚損する懸念がきわめて低減された、優れた防湿容器である。
【００３７】
上述のように、本発明に係る防湿容器は、安定した乾燥能力と、乾燥剤５による被収容物の汚損の低減とが両立されている。
【００３８】
防湿容器の乾燥能力は、上述のように乾燥剤５の種類を選択することによっても調節できるが、溝３１の深さｅ及び幅ｆ、突条３２の高さｄ及び幅ｗ、並びにその数を選択することによって調節することができる。突条３２の高さｄ及び幅ｗを小さくし、溝３１の深さｅ及び幅ｆを大きくし、溝３１及び突条３２の本数を増やせば短時間に多量の湿気（水）を吸収することができるため、瞬発力に優れた防湿容器となるが、短時間に乾燥剤５の乾燥能を消費してしまうため、防湿容器の寿命は短くなる。後述する所望の吸水速度に応じて、設定するのがより好ましい。また、台座１１の高さｈ及び、透湿防塵シート４と接触する面の面積を選択することによっても調節することができる。
【００３９】
台座１１の高さｈを大きくすれば、隙間６の体積が大きくなるため、瞬発力に優れた防湿容器となる。
【００４０】
台座１１の透湿防塵シート４と接触する面の面積を大きくすると、湿気（水）が透過する面積が小さくなるため、乾燥は緩慢に行われ、瞬発力には劣るが防湿容器の寿命は長くなる。
【００４１】
また、内容器３０の溝３１を形成する底部の上端部の角が、斜めに平面カットされたＣ面取りされている。Ｃ面取りを行うことにより、突起１２と内容器３０との隙間を大きく形成することができる。従って、突起１２を容器本体１の内壁全周に設けても、容器本体１の内部の空気が溝３１を通じて乾燥剤収容体３に流れにくくなるのを防いでいる。また、溝３１の底部の上端部を斜めに平面カットしてＣ面取りしているが、曲面で面取りされたＲ面取りでも良い。
【００４２】
図１１は、本発明に係る防湿容器において、図５に示す内容器３０を採用した例を示す。乾燥剤の量を増やしたい場合、乾燥剤収容体３の容積を大きくすればよい。ただし、容器本体１の高さに余裕がない場合は、単純に乾燥剤収容体３の高さを大きくしただけでは、被収容物（テストピース等）の収容スペースを確保できないという問題がある。図１１のように防湿容器を構成すれば、容器本体１の長さを変えることなく、乾燥剤収容体３の容積を大きくし、より多くの乾燥剤５を収容でき、かつ、同じ長さの被収容物（テストピース等）を収容することができる。また、図１１の内容器３０の底板は、外周部から徐々に内径が狭まるテーパー形状であるので、被収容物が底板の周縁部分に乗った場合でも中央の低い部分に導かれ、蓋を閉める際の妨げとならない。従って、このテーパー形状により、安定して被収容物を収容することが可能となる。ただし、被収容物の安定した収容状態を考慮しなくてもよい場合は、底板の少なくとも一部に段差を設けることによって乾燥剤収容体３の容積を調整することができる。
【００４３】
図１２は、図１１に示す防湿容器と同様に、底板の中央が陥入した形状の内容器３０を採用し、かつ、乾燥剤収容体３の容積を小さくした例である。内容器３０の高さおよび陥入の程度を調整することにより、乾燥剤５の収容量を調節し、乾燥能力および防湿容器の寿命を所望の範囲に設定することができる。
【００４４】
また、溝３１の深さｅ及び幅ｆは被収容物の大きさに応じて、被収容物が溝３１に挟まらないように設定するのが好ましい。
【００４５】
図１３は、本発明に係る防湿容器において、図２に示す内容器３０を採用した例を示す。被収容物の大きさを縦ｘ、横ｙ、高さｚとする。被収容物が溝３１内に落ちないためには、下記の寸法を満たせば良い。溝３１の幅ｆが被収容物の横ｙより大きい場合は、溝３１の深さｅが被収容物の縦ｘの１０−１００％から指定される寸法であれば良い。また、溝３１の幅ｆが被収容物の横ｙ以下の寸法の場合は、溝３１の深さｅが被収容物の縦ｘの１０−１００％から指定される寸法または縦ｘの１００％から溝３１の幅ｆ以下の寸法であれば良い。また、上記の寸法を満たすように突条３２の幅ｗを適宜設定するのが好ましい。さらに、容器本体１の開口を封止する蓋体２の内環２１の下から乾燥剤収容体３の底部までの高さＨ１は、蓋体２で容器本体１の開口部を封止する際、蓋体２と容器本体１との間に被収容物が噛み込まれることを防ぐために、被収容物の高さｚ以上の寸法とすることが好ましい。例えば、図５に示す容器本体１の開口を封止する蓋体２の内環２１の下から乾燥剤収容体３の底部までの高さＨ１の寸法は、一例として２８．３ｍｍとした。この場合高さｚが２８．３ｍｍより低い被収容物を収容することが好ましい。
【００４６】
図１４は容器本体１の断面図を示す。図１４で示した乾燥剤収容体３を挿入する空間の寸法は、一例として高さＨ２を１４．６ｍｍ、内径ｒを２２．３３ｍｍとした。
【００４７】
また、内容器３０の突条３２の開口部付近の外壁は、曲面および平面を組み合わせた面取り形状としてもよい。例えば、図１５〜図１８に示す拡大断面図のように、曲線部と直線部を繋ぎ合わせた断面形状とし、開口部側から底部に向かって徐々に外径が拡大する形状としてもよい。このような形状とすることにより、乾燥剤収容体３を容器本体１に挿入する際、内容器３０の開口部からはみ出した透湿防塵シート４が、突起１２と内容器３０とによって擦られることを低減することができる。また、内容器３０を無理なく容器本体１に挿入することができる。
【００４８】
また、内容器３０の突条３２の開口部側の外壁形状は、図１９に示すように、内容器３０の開口端から高さＤ２まで、突条３２の厚みを他の部分より一様に薄くして、他の部分より小さな外径を有する形状としてもよい。高さＤ２は、図７及び図８に示した内容器３０の開口部から透湿防塵シート４のはみだし寸法Ｄ１より大きいことが好ましい。高さＤ２を透湿防塵シート４のはみ出し寸法Ｄ１より大きくし、突条３２の厚みを容器本体１の突起寸法ａより０．０５ｍｍ以上薄くすることにより、内容器３０の開口部から透湿防塵シート４を内容器３０と容器本体１との間に収容することができる。よって、乾燥剤収容体３を容器本体１に挿入する際、内容器３０の開口部からはみ出した透湿防塵シート４が、突起１２と内容器３０とによって擦られることをさらに低減することができる。
【００４９】
本発明に係る防湿容器はいずれも、被収容物の攻撃から透湿防塵シート４を有効に保護し、乾燥剤５及びその塵埃による被収容物の汚損を低減している。しかも、防湿容器の除湿速度や除湿可能期間を自在に調整することができる。また、本発明に係る内容器３０は、乾燥剤収容体３を容器本体１に挿入する際、内容器３０の開口部からはみ出した透湿防塵シート４が、突起１２と内容器３０とによって擦られることを低減することができる。
【産業上の利用可能性】
【００５０】
本発明に係る防湿容器は、湿気及び乾燥剤の塵埃により劣化しやすい物品を収容するための容器として広範に利用できる。例えば、血糖値検査や尿検査に使用するためのテストピースや、薬剤（錠剤等）を収容するための容器として好適に使用することができる。
【符号の説明】
【００５１】
１    容器本体
１１    台座
１２    突起
１３    底板
２    蓋体
２１    内環
２３    ヒンジ
３    乾燥剤収容体
３０    内容器
３１    溝
３２    突条
４    透湿防塵シート
５    乾燥剤
６    隙間
【図１】
2014133576.tif 000003
【図２】
2014133576.tif 000004
【図３】
2014133576.tif 000005
【図４】
2014133576.tif 000006
【図５】
2014133576.tif 000007
【図６】
2014133576.tif 000008
【図７】
2014133576.tif 000009
【図８】
2014133576.tif 000010
【図９】
2014133576.tif 000011
【図１０】
2014133576.tif 000012
【図１１】
2014133576.tif 000013
【図１２】
2014133576.tif 000014
【図１３】
2014133576.tif 000015
【図１４】
2014133576.tif 000016
【図１５】
2014133576.tif 000017
【図１６】
2014133576.tif 000018
【図１７】
2014133576.tif 000019
【図１８】
2014133576.tif 000020
【図１９】
2014133576.tif 000021
【図２０】
2014133576.tif 000022
【図２１】
2014133576.tif 000023